(57)【要約】【課題】先行印刷モードとメモリ印刷モードとの双方の利点を好適に受けることが期待できる複写機を提供すること。【解決手段】複写機は，読取部と，記憶部と，印刷部と，制御部とを備え，制御部は，複数枚の原稿を読取部に読み取らせ，一部ずつ印刷部に印刷させる際に，複数枚の原稿のうち前半に属する原稿については，画像データを第１圧縮率にて記憶部に記憶し，その記憶した画像データに基づいて，印刷部に，読取部での原稿の読み取りが完了する前に当該原稿の画像の印刷を開始する先行印刷モードを実行させ，複数枚の原稿のうち後半に属する原稿については，画像データを第１圧縮率よりも高圧縮の第２圧縮率にて記憶部に記憶し，その記憶した画像データに基づいて，印刷部に，読取部での原稿の読み取りが完了した後に当該原稿の画像の印刷を開始するメモリ印刷モードを実行させる。【選択図】図３
2014033294.tif 000002
【特許請求の範囲】
【請求項１】
原稿の読み取りを行う読取部と，
前記読取部が読み取った原稿の画像データを記憶する記憶部と，
前記記憶部に記憶した画像データに基づいて，前記読取部が読み取った原稿の画像を記録紙に印刷する印刷部と，
制御部と，
を備え，
前記制御部は，
複数枚の原稿を前記読取部に読み取らせ，一部ずつ前記印刷部に印刷させる際に，
前記複数枚の原稿のうち前半に属する原稿については，前記画像データを第１圧縮率にて前記記憶部に記憶し，その記憶した画像データに基づいて，前記印刷部に，前記読取部での原稿の読み取りが完了する前に当該原稿の画像の印刷を開始する先行印刷モードを実行させ，
前記複数枚の原稿のうち後半に属する原稿については，前記画像データを前記第１圧縮率よりも高圧縮の第２圧縮率にて前記記憶部に記憶し，その記憶した画像データに基づいて，前記印刷部に，前記読取部での原稿の読み取りが完了した後に当該原稿の画像の印刷を開始するメモリ印刷モードを実行させる
ことを特徴とする複写機。
【請求項２】
請求項１に記載する複写機において，
前記制御部は，原稿を前記読取部に読み取らせている間に前記記憶部の空き容量が閾値以下になる事象が確認された場合に，当該原稿の次の原稿から前記後半に属する原稿として扱うことを特徴とする複写機。
【請求項３】
請求項１または請求項２に記載する複写機において，
前記制御部は，原稿を前記読取部に読み取らせている間に他のジョブを受信する事象が確認された場合に，当該原稿の次の原稿から前記後半に属する原稿として扱うことを特徴とする複写機。
【請求項４】
請求項１から請求項３のいずれか１つに記載する複写機において，
前記制御部は，原稿を前記読取部に読み取らせている間に消耗品の残量が閾値以下になる事象が確認された場合に，当該原稿の次の原稿から前記後半に属する原稿として扱うことを特徴とする複写機。
【請求項５】
請求項２から請求項４のいずれか１つに記載する複写機において，
前記制御部は，
１枚目の原稿の読み取りを開始する時点で前記事象が確認されていない場合に，当該１枚目の原稿を前記前半に属する原稿として扱い，
１枚目の原稿の読み取りを開始する時点で前記事象が確認されていた場合に，当該１枚目の原稿から前記後半に属する原稿として扱うことを特徴とする複写機。
【請求項６】
請求項１に記載する複写機において，
前記制御部は，原稿がＮ枚目（Ｎは２以上の整数）の場合に，当該Ｎ枚目の原稿から前記後半に属する原稿として扱うことを特徴とする複写機。
【請求項７】
請求項１に記載する複写機において，
前記制御部は，前ページの原稿と記録紙とのサイズ不一致が確認された場合に，当該前ページまでの原稿を前記前半に属する原稿とし，当該前ページの原稿の次の原稿から前記後半に属する原稿として扱い，前記メモリ印刷モードの際には原稿の画像データを記録紙のサイズに合わせて倍率調整することを特徴とする複写機。
【請求項８】
請求項１に記載する複写機において，
前記制御部は，前ページの原稿と記録紙とのサイズ不一致が確認された場合に，当該前ページまでの原稿を前記前半に属する原稿とし，当該前ページの原稿の次の原稿から前記後半に属する原稿として扱い，前記メモリ印刷モードの際には給紙部を原稿のサイズに合わせて切り替えることを特徴とする複写機。
【発明の詳細な説明】
【技術分野】
【０００１】
本発明は，原稿を読み取り，読み取った画像を記録紙に印刷する複写機に関する。さらに詳細には，原稿の読み取り完了を待たずに印刷を開始するコピー方法と，原稿の読み取り完了を待って印刷を開始するコピー方法とが可能な複写機に関するものである。
【背景技術】
【０００２】
従来から，複写機に関する技術として，読み取り開始から印刷完了までの時間を短縮するため，原稿の読み取り完了を待たずに印刷を開始するコピー方法が知られている。本明細書では，この原稿の読み取り完了を待たずに開始する印刷モードを「先行印刷モード」とする。一方，原稿の読み取り完了を待って開始する印刷モードを「メモリ印刷モード」とする。
【０００３】
前述した先行印刷モードを開示した文献としては，例えば特許文献１がある。特許文献１では，先行印刷モードでの印刷を行う複合機であって，コピー指令の種類に応じて圧縮方式を選択し，読み取った原稿のデータを選択した圧縮方法に従って圧縮し，さらにその圧縮方式に従って印刷開始タイミングを決定する技術が開示されている。
【先行技術文献】
【特許文献】
【０００４】
【特許文献１】特開２０１０−３４７７４号公報
【発明の概要】
【発明が解決しようとする課題】
【０００５】
しかしながら，前記した従来の技術には，次のような問題があった。すなわち，先行印刷モードによる印刷では，印刷物を早期に取得できるという利点があるものの，読み取りが完了する前に印刷を開始するため，データ欠落等の不具合が発生するリスクが高い。一方，メモリ印刷モードによる印刷では，先行印刷モードとは逆に，印刷物を早期に取得できないものの，先行印刷モードで発生するような不具合のリスクは低い。このように，先行印刷モードとメモリ印刷モードとでは，互いの利点と欠点とがトレードオフの関係にあるが，一方の印刷方法のみを採用すると，他方の利点を得難いことから，改善の余地がある。
【０００６】
本発明は，前記した従来の技術が有する問題点を解決するためになされたものである。すなわちその課題とするところは，先行印刷モードとメモリ印刷モードとの双方の利点を好適に受けることが期待できる複写機を提供することにある。
【課題を解決するための手段】
【０００７】
この課題の解決を目的としてなされた複写機は，原稿の読み取りを行う読取部と，前記読取部が読み取った原稿の画像データを記憶する記憶部と，前記記憶部に記憶した画像データに基づいて，前記読取部が読み取った原稿の画像を記録紙に印刷する印刷部と，制御部と，を備え，前記制御部は，複数枚の原稿を前記読取部に読み取らせ，一部ずつ前記印刷部に印刷させる際に，前記複数枚の原稿のうち前半に属する原稿については，前記画像データを第１圧縮率にて前記記憶部に記憶し，その記憶した画像データに基づいて，前記印刷部に，前記読取部での原稿の読み取りが完了する前に当該原稿の画像の印刷を開始する先行印刷モードを実行させ，前記複数枚の原稿のうち後半に属する原稿については，前記画像データを前記第１圧縮率よりも高圧縮の第２圧縮率にて前記記憶部に記憶し，その記憶した画像データに基づいて，前記印刷部に，前記読取部での原稿の読み取りが完了した後に当該原稿の画像の印刷を開始するメモリ印刷モードを実行させることを特徴としている。
【０００８】
本明細書に開示される複写機は，複数枚の原稿をコピーする際に，前半に属する原稿は先行印刷モードで，後半に属する原稿はメモリ印刷モードでコピーする。複数枚の原稿のうち，前半に属するものについては，印刷物を早期に入手できた方が，ユーザの使い勝手がよい。ユーザは，例えば，印刷開始を早期に確認できるとともに，印刷内容も早期に確認できることから，仮に原稿の載置ミスや印刷の設定ミスがあったとしても，早期に印刷中止を指示できる。そのため，前半に属する原稿については先行印刷モードが好適である。
【０００９】
一方，後半に属する原稿については，前述のような早期入手の必要性が低くなることから，不具合のリスクを下げるために，メモリ印刷モードでのコピーにする方が好ましい。なお，第１圧縮率は，０％（すなわち非圧縮）であってもよい。また，前半に属する原稿と後半に属する原稿との境目は，原稿の１枚単位で決定される。
【００１０】
また，前記制御部は，原稿を前記読取部に読み取らせている間に前記記憶部の空き容量が閾値以下になる事象が確認された場合に，当該原稿の次の原稿から前記後半に属する原稿として扱うとしてもよい。記憶部（メモリ）の空き容量が少なくなると，原稿の画像データを記憶部に記憶し難くなる。特に，低圧縮率でデータサイズが大きい先行印刷モードの画像データは，記憶部への記憶が困難になり易い。従って，記憶部の空き容量が閾値以下の状態で先行印刷モードを継続すると，不具合のリスクが高まるため，メモリ印刷モードに切り替える方が好ましい。
【００１１】
また，前記制御部は，原稿を前記読取部に読み取らせている間に他のジョブを受信する事象が確認された場合に，当該原稿の次の原稿から前記後半に属する原稿として扱うとしてもよい。他のジョブが投入されると，当該他のジョブをメモリに記憶する必要が有り，メモリに負荷がかかる。従って，他のジョブを受信した場合，不具合のリスクが高まるため，メモリ印刷モードに切り替える方が好ましい。なお，他のジョブとしては，例えばＦＡＸ印刷ジョブや，ネットワークを介して他装置から送信される印刷ジョブが該当する。
【００１２】
また，前記制御部は，原稿を前記読取部に読み取らせている間に消耗品の残量が閾値以下になる事象が確認された場合に，当該原稿の次の原稿から前記後半に属する原稿として扱うとしてもよい。消耗品の残量が少なくなった場合には，近い将来，消耗品の残量が無くなって，印刷を継続できなくなるおそれがある。印刷できなくなると，読み取った原稿の画像データをメモリに記憶する必要が有るため，メモリに負荷がかかる。従って，消耗品の残量が閾値以下となった場合，不具合のリスクが高まるため，メモリ印刷モードに切り替える方が好ましい。
【００１３】
また，前記制御部は，１枚目の原稿の読み取りを開始する時点で前記事象が確認されていない場合に，当該１枚目の原稿を前記前半に属する原稿として扱い，１枚目の原稿の読み取りを開始する時点で前記事象が確認されていた場合に，当該１枚目の原稿から前記後半に属する原稿として扱うとしてもよい。先行印刷モードが好ましくない事象が始めから発生していた場合には，始めからメモリ印刷モードを行う方が好ましい。
【００１４】
また，前記制御部は，原稿がＮ枚目（Ｎは２以上の整数）の場合に，当該Ｎ枚目の原稿から前記後半に属する原稿として扱うとしてもよい。このようにすれば，前半に属する原稿と後半に属する原稿との境界が固定値となることから，制御がシンプルである。なお，１枚目の印刷物が出力されればユーザはその印刷物を確認できる。つまり，Ｎが２であれば，１枚目の印刷物について先行印刷モードの利点を得ることができるとともに，２枚目の印刷物からは先行印刷モードの不具合のリスクを低減することができるので，双方の利点をより好適に受けられる。
【００１５】
また，前記制御部は，前ページの原稿と記録紙とのサイズ不一致が確認された場合に，当該前ページまでの原稿を前記前半に属する原稿とし，当該前ページの原稿の次の原稿から前記後半に属する原稿として扱い，前記メモリ印刷モードの際には原稿の画像データを記録紙のサイズに合わせて倍率調整してもよい。先行印刷モードでは，実際の原稿のサイズあるいは好適な記録紙のサイズが不明のまま印刷を開始する場合があるため，原稿と記録紙とのサイズ不一致が発生する可能性がある。サイズ不一致のまま先行印刷モードを継続すると，印刷ミスの回数が増え，消耗品の無駄が多くなるおそれがある。そこで，メモリ印刷モードに切り替え，さらに原稿と記録紙とのサイズを揃える方が好ましい。
【００１６】
また，前記制御部は，前ページの原稿と記録紙とのサイズ不一致が確認された場合に，当該前ページまでの原稿を前記前半に属する原稿とし，当該前ページの原稿の次の原稿から前記後半に属する原稿として扱い，前記メモリ印刷モードの際には給紙部を原稿のサイズに合わせて切り替えてもよい。給紙部を切り替えることによっても，原稿と記録紙とのサイズを揃えることができる。
【発明の効果】
【００１７】
本発明によれば，先行印刷モードとメモリ印刷モードとの双方の利点を好適に受けることが期待できる複写機が実現される。
【図面の簡単な説明】
【００１８】
【図１】実施の形態にかかるＭＦＰの外観を示す斜視図である。
【図２】原稿搬送部を示す断面図である。
【図３】図１に示したＭＦＰの電気的構成を示すブロック図である。
【図４】モードによるタイミングの違いを示す説明図である。
【図５】第１の形態のＡＤＦコピー処理を示すフローチャート図である。
【図６】第２の形態のＡＤＦコピー処理を示すフローチャート図である。
【図７】第２の形態のＡＤＦコピー処理における状態チェック処理を示すフローチャート図である。
【図８】第３の形態のＡＤＦコピー処理における状態チェック処理を示すフローチャート図である。
【発明を実施するための形態】
【００１９】
以下，本発明にかかる複写機を具体化した実施の形態について，添付図面を参照しつつ詳細に説明する。本形態は，画像読取機能および画像形成機能を備えた複合機（ＭＦＰ：Ｍｕｌｔｉ  Ｆｕｎｃｔｉｏｎ  Ｐｅｒｉｐｈｅｒａｌ ）に本発明を適用したものである。
【００２０】
［ＭＦＰの構成］
本形態のＭＦＰ１００は，図１に示すように，用紙に画像を印刷する画像形成部１と，原稿の画像を読み取る画像読取部２とを備えている。画像形成部１は，印刷部の一例である。画像読取部２は，読取部の一例である。
【００２１】
ＭＦＰ１００の前面側には，ボタン群４１と表示部４２とを備えた操作パネル４０が設けられている。ボタン群４１は，例えば，スタートキー，ストップキー，テンキー等の各種のボタンによって構成され，ユーザによる入力を受ける。また，表示部４２は，例えば，液晶ディスプレイからなり，ユーザに向けてメッセージを表示する。
【００２２】
さらに，画像形成部１の下部には，複数の用紙トレイ４５及び手差し口４６が設けられている。用紙トレイ４５には，それぞれ画像形成に用いるための用紙が収納されている。画像形成部１は，例えば，ユーザの指示に基づいて，これらの用紙トレイ４５または手差し口４６のうちの１つを給紙部に決定する。そして，画像形成部１は，決定した給紙部から用紙を１枚ずつ給紙して，給紙した用紙に画像を形成する。
【００２３】
ＭＦＰ１００の画像形成部１は，電子写真方式のカラー画像の形成が可能なプリンタである。あるいは，画像形成部１は，モノクロ画像専用であってもよい。画像形成部１は，感光体とその感光体上にトナー像を形成するプロセス部とを有している。画像形成部１は，プロセス部によって感光体上に形成させたトナー像を，用紙に転写して，定着させることによって画像を得る。
【００２４】
なお，画像形成部１は，用紙１枚毎に画像を形成するページプリンタである。画像形成部１による画像の印刷は，印刷用紙の１枚単位で実行される。従って，画像形成部１において，一連の画像形成動作を開始したら，１枚の用紙への画像形成処理が完了するまで，途中で一時停止することはできない。画像形成動作を開始するとは，用紙のプロセス部への搬送を開始するとともにトナー像の形成動作を開始することを意味する。用紙のプロセス部への搬送とは，具体的には，一時停止していたレジストローラの回転を再開する動作である。
【００２５】
なお，図には表れていないが，画像形成部１の各用紙トレイ４５には，用紙の有無を検出する用紙検出部が設けられている。また，画像形成部１のプロセス部には，トナー残量を検出するトナー検出部が設けられている。これにより，ＭＦＰ１００は，用紙トレイ４５の用紙切れである場合，および，トナー残量が閾値以下である場合には，これを知ることができる。
【００２６】
［画像読取部の構成］
画像読取部２は，図１に示すように，画像形成部１の上部に設けられ，読取部１０と原稿搬送部２０とを有している。読取部１０は，その上面にコンタクトガラス１１，１２を備え，コンタクトガラス１１，１２の下方にイメージセンサ１５を有している。イメージセンサ１５は，主走査方向に光学素子が一列に並んで配置されており，副走査方向に移動可能に設けられている。
【００２７】
画像読取部２は，原稿の画像の読み取り機能として，原稿移動読取機能と装置移動読取機能とを有している。コンタクトガラス１１上に載置された原稿を読み取る場合には，画像読取部２は，イメージセンサ１５を副走査方向に移動させつつ，原稿の画像を読み取る。イメージセンサ１５を移動させつつ原稿を読み取る機能が，装置移動読取機能である。以下では，装置移動読取機能を利用した読み取り方式を，ＦＢ（フラットベッド）方式という。
【００２８】
一方，原稿搬送部２０に載置された原稿を読み取る場合には，画像読取部２は，イメージセンサ１５をコンタクトガラス１２に対向する位置に移動させた後，原稿を移動させつつ原稿の画像を読み取る。原稿の読み取り中はイメージセンサ１５を移動させずに，原稿を移動させつつ原稿を読み取る機能が，原稿移動読取機能である。以下では，原稿移動読取機能を利用した読み取り方式を，ＡＤＦ（オートドキュメントフィーダ）方式という。
【００２９】
原稿搬送部２０は，図１に示すように，開閉式であり，開状態ではコンタクトガラス１１，１２の上面から離れ，閉状態ではコンタクトガラス１１，１２の上面を覆う。なお，図１には，原稿搬送部２０を開いた状態が示されている。ＦＢ方式での読み取りを行わせる場合，ユーザは，原稿をコンタクトガラス１１上に直接載置する。そして，ユーザが原稿搬送部２０を閉状態とすることにより，画像読取部２に原稿の画像を読み取らせる。
【００３０】
原稿搬送部２０は，図２に示すように，原稿載置トレイ２１と原稿排出トレイ２２とを有している。原稿搬送部２０には，さらに，原稿載置トレイ２１から原稿排出トレイ２２へと至る原稿の経路として，原稿搬送路２５が設けられている。
【００３１】
ＡＤＦ方式での読み取りを行わせる場合，ユーザは，コピーする原稿を原稿搬送部２０の原稿載置トレイ２１に挿入する。原稿載置トレイ２１は，複数枚の原稿を重ねた状態で受け入れることができる。原稿搬送部２０にセットされた原稿を読み取る場合には，画像読取部２は，イメージセンサ１５をコンタクトガラス１２に対向する位置に停止させる。そして，原稿搬送部２０は，原稿を１枚ずつ搬送して，原稿搬送路２５の途中でイメージセンサ１５上を通過させる。原稿は，イメージセンサ１５に対向した後もさらに搬送されて，原稿排出トレイ２２に排出される。
【００３２】
原稿搬送部２０の原稿載置トレイ２１には，１枚以上の原稿が載置されていることを検知するための原稿検知部２７が設けられている。原稿検知部２７は，例えば，原稿載置トレイ２１から原稿搬送路２５への入り口に設けられた揺動片付きの光学センサである。この揺動片がある程度揺動したことを光学センサが検知したら，ＭＦＰ１００は，原稿載置トレイ２１に原稿が載置されていると判断する。
【００３３】
［ＭＦＰの電気的構成］
続いて，ＭＦＰ１００の電気的構成について説明する。ＭＦＰ１００は，図３に示すように，ＣＰＵ３１と，ＲＯＭ３２と，ＲＡＭ３３とを備えた制御部３０を有している。制御部３０は，画像形成部１と，画像読取部２と，操作パネル４０と，ネットワークインターフェース３７と，ＵＳＢインターフェース３８と，ＦＡＸインターフェース３９とに，電気的に接続している。
【００３４】
ＣＰＵ３１は，ＭＦＰ１００における画像読取機能，画像形成機能等の各種機能を実現するための演算を実行し，制御の中枢となるものである。ＣＰＵ３１は，ＲＯＭ３２から読み出した制御プログラムに従って，その処理結果をＲＡＭ３３に記憶させながら，ＭＦＰ１００の各構成要素を制御する。ＣＰＵ３１は，制御部の一例である。
【００３５】
ＲＯＭ３２には，ＭＦＰ１００を制御するための各種制御プログラムや画像処理プログラム，各種設定値等が記憶されている。ＲＡＭ３３は，各種制御プログラムや画像処理プラグラムの処理実行時に作業領域として使用される。あるいは，ＲＡＭ３３は，画像読取部２で読み取った原稿の画像データや，各種のインターフェース３７，３８，３９を介して送られてくる画像データを，一時的に記憶する記憶領域として利用される。
【００３６】
ネットワークインターフェース３７は，例えば，コンピュータ等の情報処理装置と接続される。ＵＳＢインターフェース３８は，例えば，ＵＳＢメモリ等のＵＳＢ接続が可能な周辺機器に接続される。ＦＡＸインターフェース３９は，公衆電話回線に接続される。ＭＦＰ１００は，ネットワークインターフェース３７やＵＳＢインターフェース３８を介して，外部の周辺機器等とデータ通信が可能になっている。ＭＦＰ１００は，ＦＡＸインターフェース３９を介して，ＦＡＸの送受信が可能になっている。
【００３７】
なお，ＣＰＵ３１は，ＲＡＭ３３の空き容量を検出することができる。また，ＣＰＵ３１は，割り込みタスクの優先度を検出することができる。また，ＣＰＵ３１は，ＦＡＸインターフェース３９への着信を検出することができる。また，ＣＰＵ３１は，単位時間あたりのデータ受信量を検出することができる。
【００３８】
［コピー処理のモード］
続いて，ＭＦＰ１００のコピー処理について説明する。コピー処理とは，ＭＦＰ１００が，画像読取部２にて読み取った画像データを用いて，画像形成部１にて画像を形成させる処理である。なお，ここでのコピー処理は，１枚の原稿を読み取って取得した画像データを，１枚の用紙に加工せずに印刷する処理を意味している。
【００３９】
ＭＦＰ１００は，コピー処理を実行するためのモードとして，先行印刷モードとメモリ印刷モードとを有している。各モードにおける処理のタイミングを図４に示す。先行印刷モードは，１枚の原稿について，画像読取部２による原稿の読み取りが完了していないうちに，画像形成部１による画像の形成を開始させるモードである。一方，メモリ印刷モードは，１枚の原稿について，画像読取部２による原稿の読み取りが完了してから，画像形成部１による画像の形成を開始させるモードである。
【００４０】
なお，「原稿の読み取りが完了」とは，画像読取部２が前述の読み取り範囲の終端まで読み取ったことを意味している。ＦＢ方式であれば，イメージセンサ１５が，原稿の読み取り範囲の終端に対向する位置まで到達したことを意味する。また，ＡＤＦ方式であれば，原稿が，その読み取り範囲の終端とイメージセンサ１５とが対向する位置まで搬送されたことを意味する。なお，本明細書では，画像読取部２によって取得された画像データの画像処理に係る処理は，原稿の読み取りに含まれない。
【００４１】
ＭＦＰ１００は，コピー処理の指示を受けると，まず画像読取部２に原稿の読み取りを開始させる。そして，ＭＦＰ１００は，先行印刷モードを選択した場合に印刷を開始するタイミングまでに，先行印刷モードまたはメモリ印刷モードのいずれを実行するかを決定する。さらに，ＭＦＰ１００は，選択したモードにおける印刷の開始タイミングで，画像形成部１に印刷を開始させる。なお，ＭＦＰ１００は，先行印刷モードでの印刷動作開始のタイミングを，画像読取部２による原稿の読み取りが完了すると予測される時点から逆算して決定する。
【００４２】
先行印刷モードでの印刷は，図４に示すように，画像読取部２による画像の読み取りの完了前に開始され，読み取り終わっている部分の画像データを使って，画像読取部２による画像の読み取りの進行と並行して実行される。つまり，先行印刷モードでは，画像形成部１での画像形成処理は，１枚の用紙に印刷する画像データが揃っていないうちに開始される。
【００４３】
画像形成部１での画像形成に使用する用紙は，少なくとも画像形成動作の開始前に決定されていることが必要である。そのために，先行印刷モードでは，画像読取部２による原稿の読み取りが完了する前に，画像形成に用いる用紙が決定される。そして，図４に示すように，先行印刷モードの方が，メモリ印刷モードに比較して，開始が早い分だけ終了も早い。つまり，先行印刷モードの方が，メモリ印刷モードよりも，コピースタートの指示から短時間で印刷物が完成する。
【００４４】
前述したように，画像形成部１による画像形成処理は，一旦動作を開始すると，用紙１枚分の処理の途中で一時停止することができない。そのため，先行印刷モードでは，印刷動作を開始した後で，画像読取部２による続きの画像の読み取り処理が画像形成部１による画像形成動作の進行に間に合わないような事態が発生すると，データ抜け等のコピーエラーとなる可能性がある。
【００４５】
一方，メモリ印刷モードでの印刷は，画像読取部２による１枚の原稿の読み取りが完了し，用紙１枚に形成する分の画像データが揃ってから開始される。従って，メモリ印刷モードでは，読み取りに不具合があっても，用紙やトナー等の消耗品の無駄が多くなることは抑制される。その一方で，先行印刷モードに比較して，印刷物を取得できるまでの時間が長い。
【００４６】
なお，先行印刷モードでは，ＭＦＰ１００は，読み取った画像データを，低圧縮率で圧縮してＲＡＭ３３に記憶させる。あるいは，圧縮せずに記憶させてもよい。ただし，ＲＡＭ３３の容量の制限から，ＭＦＰ１００は，原稿の画像データをすべて記憶させることはできない可能性もある。そのため，ＭＦＰ１００は，画像の形成処理のための読み出しが終了した部分から順次，画像データを消去して，新たに読み取った画像データを上書きする。
【００４７】
メモリ印刷モードでは，ＭＦＰ１００は，読み取った画像データを，先行印刷モードと比較して高い圧縮率で圧縮してＲＡＭ３３に記憶させる。画像データを高圧縮率で圧縮することによって，ＲＡＭ３３は，少なくとも原稿１枚分以上の画像データを記憶することができる。そのため，例えば，各種の画像処理が要求されている場合や，２部以上のコピーの作成が指示されている場合には，ＭＦＰ１００は，メモリ印刷モードを選択する。メモリ印刷モードでは，画像形成部１は，ＲＡＭ３３から読み出した画像データを復元して使用する。
【００４８】
［ＡＤＦコピー処理］
続いて，ＡＤＦコピー処理について説明する。ＡＤＦコピー処理は，ＡＤＦ方式で読み取った原稿をコピーする処理である。つまり，ＡＤＦコピー処理は，原稿搬送部２０から１枚ずつ原稿を引き込み，各原稿につき１部ずつのコピー印刷物を形成する処理である。原稿搬送部２０の原稿載置トレイ２１に原稿が載置され，コピースタートのボタンを押下されることにより，ＭＦＰ１００は，ＡＤＦコピー処理を開始する。
【００４９】
本形態のＭＦＰ１００は，複数枚の原稿が原稿載置トレイ２１に載置された場合のＡＤＦコピー処理において，先行印刷モードとメモリ印刷モードとを使い分ける機能を有している。つまり，ＭＦＰ１００は，複数枚の原稿のうち，その前半に属する原稿は先行印刷モードでコピーし，後半に属する原稿はメモリ印刷モードでコピーすることが可能である。これにより，原稿のうち前半に属するものについては短時間でコピー印刷物が得られるとともに，原稿のうち後半に属するものまで適切にコピー印刷物を得ることができる。
【００５０】
具体的には，ＭＦＰ１００は，原稿の１枚目からまず先行印刷モードを使用してコピーを開始し，あらかじめ決められたモード移行条件を満たしたら，メモリ印刷モードへ移行する。つまり，それ以降の原稿についてはメモリ印刷モードを使用してコピーを継続する。印刷モードは，原稿の１枚単位で決定される。また，印刷モードの移行は，１つのジョブについて１度まで実施される。
【００５１】
［モード移行条件の例］
（第１の形態）
次に，第１の形態のモード移行条件を用いたＡＤＦコピー処理について，図５のフローチャートを参照して説明する。ＡＤＦコピー処理は，ＡＤＦコピー指示を受けたことを契機に，ＣＰＵ３１によって実行される。
【００５２】
第１の形態のモード移行条件は，原稿の枚数Ｎである。原稿の枚数Ｎは，ＭＦＰ１００の性能に応じて工場出荷前にあらかじめ決められており，ＲＯＭ３２に記憶されている。ＣＰＵ３１は，ＡＤＦコピー処理の指示を受けると，ＲＯＭ３２から，メモリ印刷モードへ移行する枚数Ｎを読み出す（Ｓ１０１）。枚数Ｎは，２以上の整数であり，例えば２である。
【００５３】
次に，ＣＰＵ３１は，１枚目の原稿を先行印刷モードでコピーさせる（Ｓ１０３）。すなわち，ＣＰＵ３１は，１枚目の原稿を原稿搬送部２０によって搬送させつつ読み取らせ，読み取りが完了する前に画像形成部１にその原稿の画像の印刷を開始させる。
【００５４】
続いて，ＣＰＵ３１は，全原稿のコピーが終了したか否かを判断する（Ｓ１０５）。１枚の原稿の読み取りが終了すると，原稿搬送部２０は，次の原稿を原稿搬送路２５に引き込む。このとき，原稿検知部２７が原稿を検知しない場合には，すなわち，原稿検知部２７の光学センサが揺動片の揺動を検知しない場合には，ＭＦＰ１００は，原稿載置トレイ２１に原稿が載置されていないと判断する。原稿搬送路２５に引き込まれる原稿がない場合には，ＣＰＵ３１は，全原稿の読み取りが終了したと判断する。全原稿のコピーが終了すれば（Ｓ１０５：Ｙｅｓ），ＡＤＦコピー処理を終了する。
【００５５】
一方，全原稿の読み取りが終了していない場合は（Ｓ１０５：Ｎｏ），ＣＰＵ３１は，画像読取部２に次の原稿を読み取らせる。そして，読み取り中である原稿が，Ｎ枚目の原稿であるか否かを判断する（Ｓ１０７）。まだＮ枚目ではない場合は（Ｓ１０７：Ｎｏ），ＣＰＵ３１は，継続して先行印刷モードでコピーを実行させる（Ｓ１０３）。そして，全原稿のコピーが終了するか（Ｓ１０５：Ｙｅｓ），あるいは，Ｎ枚目の原稿であるか（Ｓ１０７：Ｙｅｓ）のいずれかとなるまで，ＣＰＵ３１は，先行印刷モードでコピーさせる（Ｓ１０３）。
【００５６】
そして，全原稿のコピーが終了していないうちに（Ｓ１０５：Ｎｏ），Ｎ枚目の原稿となったら（Ｓ１０７：Ｙｅｓ），ＣＰＵ３１は，以後の原稿をメモリ印刷モードでコピーさせる（Ｓ１０９）。つまり，ＣＰＵ３１は，Ｎ枚目の原稿からは，読み取った画像データを高圧縮率で圧縮してＲＡＭ３３に記憶させ，原稿の読み取りが完了してから，画像形成部１による画像形成を開始させるようにする。
【００５７】
続いて，ＣＰＵ３１は，全原稿のコピーが終了したか否かを判断する（Ｓ１１１）。全原稿のコピーが終了していなければ（Ｓ１１１：Ｎｏ），ＣＰＵ３１は，次の原稿を読み取らせ，メモリ印刷モードで印刷させる。そして，ＣＰＵ３１は，Ｎ枚目以降の原稿はすべてメモリ印刷モードでコピーさせる（Ｓ１０９）。全原稿のコピーが終了したら（Ｓ１１１：Ｙｅｓ），ＣＰＵ３１は，ＡＤＦコピー処理を終了する。
【００５８】
以上，詳細に説明したように，第１の形態のＭＦＰ１００は，まず，原稿の１枚目からは先行印刷モードでコピーする。そして，原稿のＮ枚目からはメモリ印刷モードでコピーする。すなわち，前半に属する原稿は，原稿の１枚目〜（Ｎ−１）枚目までであり，１枚以上である。後半に属する原稿は，原稿のＮ枚目から原稿の最後までである。本形態では，前半に属する原稿と後半に属する原稿との境界が固定値となっているので，制御がシンプルである。
【００５９】
上記の構成を有することにより，本形態のＭＦＰ１００は，少なくとも１枚目の印刷物は先行印刷モードでコピーされるため，全ての原稿についてメモリ印刷モードでコピーする装置に比較して，少なくとも１枚目の印刷物が得られるまでの時間が短い。従って，ユーザは，印刷物を早期に確認することができるので，例えば，得られた印刷物がユーザの意図したものと異なっていた場合に，早期に印刷を中止することができる。よって，消耗品の無駄やユーザの時間のロスが少ない。さらに，Ｎ枚目以降はメモリ印刷モードでコピーされるため，全ての原稿について先行印刷モードでコピーする装置に比較して，最後まで確実にコピーが得られる可能性が高い。従って，先行印刷モードとメモリ印刷モードとの双方の利点を好適に受けることが期待できる。
【００６０】
特にＮが２であれば，１枚目の原稿にのみ先行印刷モードでの印刷が実施される。１枚目の原稿では，データ欠落等の不具合が発生するリスクは低い。そして，ユーザにとっては，１枚目の印刷物を早期に確認できれば充分である。２枚目の原稿からは，メモリ印刷モードでコピーするので，不具合の発生するリスクは小さい。
【００６１】
（第２の形態）
次に，第２の形態のモード移行条件を用いたＡＤＦコピー処理について，図６と図７のフローチャートを参照して説明する。
【００６２】
第２の形態において，ＣＰＵ３１は，ＭＦＰ１００の稼働状態をチェックし，その結果に応じて，モード移行条件を判断する。つまり，本形態の処理では，第１の形態とは異なり，原稿の何枚目からメモリ印刷モードへ移行するかは，あらかじめ決まっているわけではない。チェックすべき稼働状態の条件は複数あり，ＣＰＵ３１は，すべての条件について，先行印刷モードでのコピーに支障はないと判断したときに限り，先行印刷モードでのコピーを続行させる。
【００６３】
ＣＰＵ３１は，ＡＤＦコピー処理の実行を開始すると，まず，状態値を０とする（Ｓ２０１）。状態値は，例えば，ＭＦＰ１００の稼働状態を示すフラグである。ＣＰＵ３１は，例えばＲＡＭ３３に，状態値を記憶するための記憶領域を確保している。状態値が０であるとは，ＭＦＰ１００の稼働状態が，先行印刷モードでのコピーによって不具合の発生するリスクが低い状態であることを示す。
【００６４】
そして，ＣＰＵ３１は，状態チェック処理を実行する（Ｓ２０３）。状態チェック処理は，ＣＰＵ３１が，ＭＦＰ１００の各部の稼働状態をチェックし，メモリ印刷モードへ移行することが好ましい事象が確認されたと判断したときに限り，状態値を１とする処理である。
【００６５】
ここで，状態チェック処理（図６のＳ２０３）について，図７のフローチャートを参照して説明する。このフローチャートには，ＭＦＰ１００の各部の稼働状態のうち，ＣＰＵ３１がチェックすることが好ましい事象の例（Ｓ３０１〜Ｓ３０６）を列挙している。
【００６６】
まず，ＣＰＵ３１は，ＲＡＭ３３の空き容量が充分にあるか否かを判断する（Ｓ３０１）。先行印刷モードでは，画像データを低圧縮率で圧縮して記憶させることから，ＲＡＭ３３の空き容量が充分でないと，エラーが発生する可能性がある。
【００６７】
あるいは，ＣＰＵ３１は，ＲＡＭ３３の空き容量が充分にあると判断した場合には（Ｓ３０１：Ｎｏ），次に，ＦＡＸの着信中であるか否かを判断する（Ｓ３０２）。ＦＡＸデータの受信には，ＣＰＵ３１は，ＲＡＭ３３の容量を多く使用する。そのため，ＦＡＸの着信中には，メモリ印刷モードを採用することが好ましい。
【００６８】
あるいは，ＣＰＵ３１は，ＦＡＸの着信中でなければ（Ｓ３０２：Ｎｏ），スキャナよりも優先度の高いタスクの割り込みがあるか否かを判断する（Ｓ３０３）。スキャナより優先度の高いタスクとしては，例えば，ＰＣからの緊急の印刷指令等が挙げられる。優先度の高いタスクがＣＰＵ３１を占有すると，画像読取部２による読み取りが間欠的になり，画像データの取得が画像形成部１による画像形成に間に合わなくなる可能性がある。
【００６９】
あるいは，ＣＰＵ３１は，優先度の高いタスクの割り込みがなければ（Ｓ３０３：Ｎｏ），時間あたりのデータ受信量が大きいか否かを判断する（Ｓ３０４）。例えば，ＭＦＰ１００とケーブル接続されている周辺機器等から大量のデータを受信している間は，ＣＰＵ３１やＲＡＭ３３が占有される可能性がある。
【００７０】
あるいは，ＣＰＵ３１は，データ受信量が大きくない場合は（Ｓ３０４：Ｎｏ），用紙切れか否かを判断する（Ｓ３０５）。ＣＰＵ３１は，用紙トレイ４５に設けられている用紙検出部の検出結果に基づいて，用紙切れか否かを判断することができる。用紙切れであれば，ユーザに用紙を補充してもらうまで印刷できない。用紙切れの場合に，ＣＰＵ３１は，画像形成処理を保留して，原稿の読み取りだけを継続して実行する。
【００７１】
あるいは，ＣＰＵ３１は，用紙切れではない場合には（Ｓ３０５：Ｎｏ），トナー切れか否かを判断する（Ｓ３０６）。ＣＰＵ３１は，プロセス部に設けられているトナー検出部の検出結果に基づいて，画像形成部１の現像処理に用いるトナーの収容量があらかじめ決めた限界量より少なくなった場合にトナー切れと判断する。ＣＰＵ３１は，トナー切れのために適切な印刷ができないと判断した場合に，画像形成処理を保留して，原稿の読み取りだけを継続して実行する。
【００７２】
あるいは，ＣＰＵ３１は，トナー切れでない場合には（Ｓ３０６：Ｎｏ），状態値を変更せず，状態チェック処理を終了する。つまり，ＣＰＵ３１は，すべて問題ないと判断した場合には，状態値が０のままで図６に戻り，Ｓ２０５へ進む。
【００７３】
一方，Ｓ３０１〜Ｓ３０６のいずれか１つでも，該当する事象があった場合には，状態値を１とする（Ｓ３０８）。さらに，状態値を１としたら，他の事象についてチェックする必要はないので，ＣＰＵ３１は，状態チェック処理を終了し，図６に戻ってＳ２０５に進む。
【００７４】
例えば，ＣＰＵ３１は，ＲＡＭ３３の空き容量があらかじめ決めた閾値以下であった場合には（Ｓ３０１：Ｙｅｓ），状態値を１とする（Ｓ３０８）。あるいは，ＣＰＵ３１は，ＦＡＸ着信中であれば（Ｓ３０２：Ｙｅｓ），状態値を１とする（Ｓ３０８）。あるいは，ＣＰＵ３１は，優先度の高いタスクの割り込みがある場合には（Ｓ３０３：Ｙｅｓ），状態値を１とする（Ｓ３０８）。あるいは，ＣＰＵ３１は，時間あたりのデータ受信量が大きい場合には（Ｓ３０４：Ｙｅｓ），状態値を１とする（Ｓ３０８）。あるいは，ＣＰＵ３１は，用紙切れの場合には（Ｓ３０５：Ｙｅｓ），状態値を１とする（Ｓ３０８）。あるいは，ＣＰＵ３１は，トナー切れの場合には（Ｓ３０６：Ｙｅｓ），状態値を１とする（Ｓ３０８）。
【００７５】
なお，必ずしもＳ３０１〜Ｓ３０６のすべての判断を行う必要はなく，少なくとも１つ判断すればよい。また，Ｓ３０１〜Ｓ３０６の各判断の順序は，これに限らない。ＣＰＵ３１は，どの順序で判断してもよいし，あるいは，複数の判断処理を並行して行ってもよい。さらに，これら以外にも，先行印刷モードでのコピーの継続に支障のあるかもしれない事象があれば，ＣＰＵ３１は，付け加えて判断することが好ましい。
【００７６】
図６のＡＤＦコピー処理に戻り，Ｓ２０５から説明する。状態チェック処理が終了した後，ＣＰＵ３１は，状態値が０であるか否かを判断する（Ｓ２０５）。状態値が０のままであれば（Ｓ２０５：Ｙｅｓ），ＣＰＵ３１は，次の１枚の原稿を，先行印刷モードでコピーさせる（Ｓ２０７）。
【００７７】
そして，全原稿のコピーが終了したか否かを判断する（Ｓ２０８）。全原稿のコピーが終了していれば（Ｓ２０８：Ｙｅｓ），ＡＤＦコピー処理を終了する。全原稿のコピーが終了していなければ（Ｓ２０８：Ｎｏ），Ｓ２０３に戻って，状態チェック処理を実行する（Ｓ２０３）。
【００７８】
あるいは，状態チェック処理の後の状態値が０ではなかった場合には（Ｓ２０５：Ｎｏ），ＣＰＵ３１は，メモリ印刷モードへ移行させる。そして，ＣＰＵ３１は，次の１枚
の原稿をメモリ印刷モードでコピーさせる（Ｓ２１０）。さらに，全原稿のコピーが終了したか否かを判断する（Ｓ２１１）。全原稿のコピーが終了していれば（Ｓ２１１：Ｙｅｓ），ＡＤＦコピー処理を終了する。
【００７９】
全原稿のコピーが終了していなければ（Ｓ２１１：Ｎｏ），ＣＰＵ３１は，次の原稿をメモリ印刷モードでコピーさせる（Ｓ２１０）。ひとたびメモリ印刷モードへ移行したら先行印刷モードへ戻ることはない。従って，ＣＰＵ３１は，モード移行後は状態チェック処理を行わず，モード移行後の原稿については，すべてメモリ印刷モードでコピーさせる。全原稿のコピーが終了すれば（Ｓ２１１：Ｙｅｓ），ＡＤＦコピー処理を終了する。
【００８０】
以上，詳細に説明したように，第２の形態のＭＦＰ１００によれば，原稿１枚のコピー毎に稼働状況をチェックし，各種の稼働状況を考慮して，原稿のうち前半に属するものと後半に属するものとの境目を決定している。そして，前半に属する原稿は先行印刷モードでコピーし，後半に属する原稿はメモリ印刷モードでコピーする。つまり，先行印刷モードでのコピーによる不具合のリスクが高まる所定の条件を満たしたとき，それ以降の原稿についてはメモリ印刷モードでコピーする。従って，第１の形態と同様に，先行印刷モードとメモリ印刷モードとの双方の利点を好適に受けることが期待できる。
【００８１】
なお，本形態では，ＣＰＵ３１は，１枚目のコピーの前に状態チェック処理を実行する。つまり，初めから所定の条件を満たしている場合には，ＭＦＰ１００は，１枚目の原稿からメモリ印刷モードでコピーする。先行印刷モードでコピーすると不具合のリスクが高くなる事象が，初めから確認されている場合には，例外的に，１枚目からメモリ印刷モードでのコピーを行うことが好ましい。
【００８２】
（第３の形態）
次に，第３の形態のモード移行条件を用いたＡＤＦコピー処理について，図８のフローチャートを参照して説明する。第３の形態は，第２の形態のうち，図７の状態チェック処理を，図８の処理に変えたＡＤＦコピー処理である。第３の形態のＡＤＦコピー処理のメインの部分は，図６に示した第２の形態の内容と共通であるので，説明を省略する。
【００８３】
ＣＰＵ３１は，第３の形態の状態チェック処理を開始するとまず，コピーしようとしている原稿が，１枚目であるか否かを判断する（Ｓ４０１）。本形態の状態チェック処理は，１枚目の原稿のコピーについてはスキップする。そこで，１枚目の原稿であれば（Ｓ４０１：Ｙｅｓ），ＣＰＵ３１は，状態チェック処理を終了し，図６のモード移行処理に戻ってＳ２０５に進む。
【００８４】
１枚目の原稿でなければ（Ｓ４０１：Ｎｏ），ＣＰＵ３１は，画像形成部１によって使用する給紙部がユーザ指定の給紙部であるか否かを判断する（Ｓ４０３）。先行印刷モードでは，ＣＰＵ３１は，画像読取部２による原稿の画像の読み取りが完了していないうちに，画像形成部１による画像形成を開始させる。そのため，印刷に使用する用紙を給紙する給紙部は，用紙トレイ４５または手差し口４６のうちから，原稿のサイズとは無関係に，あらかじめ決定される。
【００８５】
給紙部は，例えば，ユーザの指示によって決定される場合がある。あるいは，ユーザの指示がない場合には，ＣＰＵ３１は，給紙部を，あらかじめ設定されている優先給紙部や使用頻度の高い給紙部に決定する。ユーザの指定によって給紙部を決定した場合には（Ｓ４０３：Ｙｅｓ），用紙の適合性を判断する必要はないので，ＣＰＵ３１は，状態チェック処理を終了し，図６のモード移行処理に戻ってＳ２０５に進む。
【００８６】
ユーザの指定によって決定された給紙部でない場合は（Ｓ４０３：Ｎｏ），ＣＰＵ３１は，前回のコピーで画像読取部２が読み取った原稿の画像のサイズと，画像形成部１に供給された用紙のサイズとの適合性をチェックする（Ｓ４０５）。
【００８７】
例えば，原稿の画像の方が，給紙された用紙より大きく，画像全体が用紙に入りきらなかった場合には，ＣＰＵ３１は，用紙サイズ不適合と判断する。あるいは，原稿と用紙のサイズは同じでも，縦横が異なっていれば，ＣＰＵ３１は，用紙サイズ不適合と判断する。あるいは，給紙された用紙が原稿のサイズに比較して大きすぎる場合も，ＣＰＵ３１は，用紙サイズ不適合と判断する。
【００８８】
先行印刷モードでのコピーの結果，原稿の画像のサイズと，決定された給紙部から給紙された用紙サイズとが不適合であると判断した場合には（Ｓ４０５：Ｙｅｓ），ＣＰＵ３１は，用紙サイズまたは画像データのサイズを変更する。例えば，より適切な用紙を収納する給紙部が搭載されている場合には，以後のコピーにおいて給紙させる給紙部を変更する（Ｓ４０６）。あるいは，ＣＰＵ３１は，原稿から読み取った画像を縮小または回転することにより，用紙サイズに適合した画像データを形成する（Ｓ４０６）。
【００８９】
さらに，ＣＰＵ３１は，状態値を１とする（Ｓ４０８）。すなわち，ＣＰＵ３１は，用紙サイズ不適合と判断した場合には，先行印刷モードでのコピーによって不具合の発生するリスクが高い状態であると判断する。状態値を１としたら，ＣＰＵ３１は，状態チェック処理を終了し，図６のモード移行処理に戻ってＳ２０５に進む。
【００９０】
原稿と用紙のサイズが適合していると判断した場合には（Ｓ４０５：Ｎｏ），ＣＰＵ３１は，状態値を変更せず，図６のモード移行処理に戻ってＳ２０５に進む。
【００９１】
以上，詳細に説明したように，第３の形態のＭＦＰ１００によれば，前回のコピー結果について用紙サイズが適合していたか否かをチェックする。用紙がユーザの指定であるか，あるいは，用紙と原稿とが適合している場合には，ＣＰＵ３１は，先行印刷モードでのコピーによる不具合のリスクが高くないので，先行印刷モードでのコピーを継続する。一方，用紙サイズが不適合であれば，ＣＰＵ３１は，用紙サイズまたは画像サイズを変更し，以後のコピーをメモリ印刷モードで実行する。このようにすれば，サイズが不適合のままコピーを継続することはないので，消耗品の無駄は抑制される。従って，第１の形態と同様に，先行印刷モードとメモリ印刷モードとの双方の利点を好適に受けることが期待できる。
【００９２】
なお，本形態の状態チェック処理と第２の形態の状態チェック処理とを，両方とも行えば，より好適である。また，本形態の状態チェック処理は，１枚目のコピー結果についてのみ行うものとしてもよい。
【００９３】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，複写機，ＦＡＸ等，コピー機能を備えるものであれば適用可能である。
【００９４】
例えば，本形態では，各用紙トレイ４５に用紙検出部が，プロセス部にトナー検出部が，それぞれ設けられているとした。しかし，これらは無くてもよい。例えば，ＣＰＵ３１は，前回の印刷時に用紙トレイ４５からの給紙に失敗したら，用紙がないものと判断するとしてもよい。あるいは，ＣＰＵ３１は，現像ローラの回転数や印刷のドットカウントからトナーの使用量を推定し，トナー残量不足を判断するとしてもよい。また例えば，使用している用紙トレイ４５が用紙切れであっても，他の用紙トレイ４５から給紙できるのであれば，用紙切れではないと判断してもよい。また，ＣＰＵ３１が用紙切れあるいは
トナー切れと判断する場合には，残量がゼロとなった場合に限らず，いずれかの残量が僅かとなった場合をも含まれるとしてもよい。
【００９５】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００９６】
１  画像形成部
２  画像読取部
３１  ＣＰＵ
３３  ＲＡＭ
３９  ＦＡＸインターフェース
【図１】
2014033294.tif 000003
【図２】
2014033294.tif 000004
【図３】
2014033294.tif 000005
【図４】
2014033294.tif 000006
【図５】
2014033294.tif 000007
【図６】
2014033294.tif 000008
【図７】
2014033294.tif 000009
【図８】
2014033294.tif 000010